(57)【特許請求の範囲】
【請求項１】
ランプソケットを有して天井の孔に埋設固定される器具本体と、一側片、天板部および他側片を連続形成した略逆Ｕ字形であって前記一側片および前記他側片の端部が前記器具本体に取付けられて前記天板部が前記器具本体の上方に位置するヨークと、前記天板部に基端部が取付けられて先端部が前記器具本体の側方に張り出した安定器取付板と、前記安定器取付板の下面の前記孔よりも外方に偏心した位置に取付けられた安定器とを備え、前記ヨークの前記他側片はくの字形状を有して地震時の前記安定器の偏荷重の加速度を吸収する支持部を構成する照明器具。
【請求項２】
前記支持部は前記器具本体の側方にくの字形状に屈曲突出して偏荷重の加速度を吸収する突出部であり、前記安定器は前記突出部の突出方向に配設されている請求項１記載の照明器具。
【請求項３】
前記支持部は前記器具本体の側方にくの字形状に屈曲突出して偏荷重の加速度を吸収する突出部であり、前記安定器は前記突出部の突出方向と反対方向に配設されている請求項１記載の照明器具。
【発明の詳細な説明】
【０００１】
【発明の属する技術分野】
この発明は、ダウンライトなどの天井埋込型の照明器具に関するものである。
【０００２】
【従来の技術】
第１の従来例を図９に示す。すなわち、この照明器具は、天井５０に設けた孔５１に挿通されて取付具５３により取付けられた器具本体５２と、天井５０の裏面に載置した安定器内蔵の安定器ボックス５４とをフレキシブルパイプ５５で接続している。５６はランプ、５７はランプソケットである。
【０００３】
第２の従来例を図１０に示す。すなわち、この照明器具は、器具本体５２の側面より外方にランプソケット５７を張り出して設けるとともに、安定器５８をさらに外方に張り出して器具本体５２に設けている。５９は安定器５８を取付ける取付板である。
第３の従来例は、図１１に示すように平面Ｌ字形の取付板５９を本体脚６０の上端部に設けて、安定器５８の張出方向をランプソケット５７の位置からランプソケット５７の突出方向に対して直交する器具中心に対する周方向にしている。６１は本体脚６０の下端部に取付けた枠、６２は反射板である。ランプソケット５７の突出方向に障害物がある場合に適用される。
【０００４】
【発明が解決しようとする課題】
天井埋込型照明器具においては、図９に示すように大きい安定器を内蔵するとき、埋込用の孔５１に入らないため安定器ボックス５４と器具本体５２とを分離しフレキシブルパイプ５５で接続している。
しかし、器具が小型化されるに伴い、器具本体５２に安定器を内蔵できる大きさに安定器も小型化されてきている。小型化の際に温度分布を均一化するためコンパウンドを充填したものもある。埋込高さの低い器具を実現しようとすれば、図１０および図１１に示すように安定器５８は器具本体５２の器具中心軸より外側に張り出したような位置に配置されることとなる。このような構造の場合、器具本体５２には張り出した安定器５８による偏荷重がかかることになる。つまり、器具本体５２を固定している天井材に常に荷重がかけられていることになる。偏荷重のかかる器具が数多くベースライトとして天井に取付けられているところに地震が生じると、凄まじい力が天井材にかかり、天井材が破損して天井５０ごと照明器具が落下するという事態になることが予想される。
【０００５】
したがって、この発明の目的は、器具の偏荷重により地震時に天井材にかかる荷重を低減することができる照明器具を提供することである。
【０００６】
【課題を解決するための手段】
請求項１記載の照明器具は、ランプソケットを有して天井の孔に埋設固定される器具本体と、一側片、天板部および他側片を連続形成した略逆Ｕ字形であって前記一側片および前記他側片の端部が前記器具本体に取付けられて前記天板部が前記器具本体の上方に位置するヨークと、前記天板部に基端部が取付けられて先端部が前記器具本体の側方に張り出した安定器取付板と、前記安定器取付板の下面の前記孔よりも外方に偏心した位置に取付けられた安定器とを備え、前記ヨークの前記他側片はくの字形状を有して地震時の前記安定器の偏荷重の加速度を吸収する支持部を構成するものである。
【０００７】
請求項１記載の照明器具によれば、安定器が孔よりも外方に偏心することにより生じる器具の偏荷重の地震による加速度を支持部により吸収するので天井材にかかる荷重を低減することができる。
請求項２記載の照明器具は、請求項１において、前記支持部が前記器具本体の側方にくの字形状に屈曲突出して偏荷重の加速度を吸収する突出部であり、前記安定器は前記突出部の突出方向に配設されているものである。
【０００８】
請求項２記載の照明器具によれば、請求項１と同様な効果である。
請求項３記載の照明器具は、請求項１において、前記支持部が前記器具本体の側方にくの字形状に屈曲突出して偏荷重の加速度を吸収する突出部であり、前記安定器は前記突出部の突出方向と反対方向に配設されているものである。
請求項３記載の照明器具によれば、請求項１と同様な効果である。
【０００９】
【発明の実施の形態】
この発明の第１の実施の形態を図１および図２により説明する。すなわち、この天井埋込型で安定器内蔵型の照明器具は、器具本体１と、支持部３と、安定器３０とを有する。
器具本体１は天井５に設けた孔６に挿通可能な構成である。実施の形態では、例えば有天円筒形に形成しており、下端開口縁に外つば７を形成し、側壁に複数の取付具８を設け、器具本体１を天井５の孔６に通して孔６の下端縁部に外つば７を係止し、取付具８を天井５の上面に係止して、器具本体１を天井５に取付けている。また器具本体１の内面に設けた係止部（図示せず）に例えばマジックばねを用いた枠支持ばね２０を摺動可能に係合し、枠支持ばね２０を枠２１に取付けて、枠２１を器具本体１に対して上下動可能に設け、枠２１の上昇位置で外つば７を被覆している。１８は天部に設けた穴である。
【００１０】
この器具本体１に灯具２を設けている。灯具２は、ランプソケット９を有して器具本体１内に首振り可能に設けられるものである。すなわち、ランプソケット９にランプ１０が装着され、ランプソケット９をソケット台１２に取付けている。ソケット台１２はランプ１０の外周を被覆する略筒状のカバー１４の上端部にねじ１７により取付けられて器具本体１の穴１８より上方に突出し、ランプソケット９の後端部をソケット台１２の上端のソケット取付部１２ｂの内面に取付けてランプソケット９の前端部をカバー１４内に向けている。ランプソケット９に装着されたランプ１０の先端はカバー１４を通り抜けてその下端部より下方に突出している。カバー１４は両側の相対向位置に一対の軸受け凹部１６を設けている。コーン１１は略円筒状であり、カバー１４の外周に遊嵌し下端部が枠２１の内つば２１ｂに載置され、枠２１の立ち上がり部２１ａにガイドされて水平回転自在になっている。このコーン１１は軸受け凹部１６を軸支する軸部１５を設けている。したがって、カバー１４を軸部１５の回りに回動すると、ソケット台１２に取付けられたランプソケット９およびランプ１０が例えば想像線のように首振りし、コーン１１を枠２１に対して水平回転すると、ランプ１０が水平回転する。
【００１１】
安定器３０は、孔６よりも外方に偏心した位置で器具本体１に取付けられている。すなわち孔６よりも小さく孔６に挿通可能な大きさであり、器具中心軸外側に張出した位置に配置され、偏重心で器具本体１に取付けられている。実施の形態では、器具本体１の上端部に設けられた略逆Ｕ字形のヨーク２３の上端の天板部４に安定器取付板３１の基端部をねじ３２により取付け、安定器取付板３１の中間部の下面に安定器３０をねじ３３により取付けている。安定器取付板３１の先端部の下面には端子台２６を取付けている。
【００１２】
支持部３は、孔６に挿通可能に器具本体１に設けられて地震時の安定器３０の偏荷重の加速度を吸収するものであり、実施の形態では孔６に挿通可能に器具本体１の外方に張り出して安定器３０の偏荷重を受けている。具体的には器具本体１の側方に屈曲突出した突出部とし、安定器３０を支持部３の突出方向に配設している。この支持部３は、孔６に挿通可能に器具本体１の側方に張り出しているので灯具２を最大首振り角度に傾斜したとき、ランプソケット９が内側に進入可能な構成でもある。具体的にはヨーク２３の一側部を例えばくの字形に折曲することにより支持部３を形成し、これにより偏心荷重を吸収している。ヨーク２３の一端部を器具本体１の天部にねじにより取付け、支持部３のある他端部を器具本体１の側面に取付けている。このため、支持部３は器具本体１から側方の外方に突出しているが、一部だけのため孔６を通して天井裏に挿通できる。またランプソケット９のあるソケット台１２を支持部３の内側に向けて灯具２を最大傾斜したとき灯具２が図１のように傾斜するので、器具本体１を小型化してもそれよりもソケット台１２が外方に突出する角度にランプ１０を傾斜することができる。またヨーク２３の幅方向は天井裏に開口しているため、最大角度に傾斜した状態で器具本体１を水平回転することができる。その範囲はヨーク２３の突出部３と対向する垂直壁２５にソケット台１２の回動が規制される範囲であり、３６０度以下であるが約１８０度を超える回転角度を確保できる。
【００１３】
２７は端子台２６と安定器３０とランプソケット９とを接続するリード線である。
ヨーク２３の上端に形成されて安定器取付板３１の基端部を取付ける天板部４は、少なくともランプソケット９に塵埃が付着する面を覆う形状に形成し、また支持部３の上側傾斜部２３ａもソケット取付部１２ｂ上を覆っている。具体的には天板部４の平面形状は図２に示すように、ランプソケット９の最大傾斜角度でソケット台１２の側面の上部１２ａの水平回動軌跡を被覆する略円板形に形成している。
【００１４】
このようにして、最大首振り角度に灯具２を傾けたとき、ランプソケット９の側面を覆うソケット台１２の側面の上部１２ａがいかなる場合も器具上部からの投影面内に収める理由はつぎのとおりである。すなわち、最大首振り角度に灯具２を傾けたとき、ランプ１０の熱が器具の下方からの対流によりソケット台１２の上部１２ａに伝達され、上部１２ａは加熱されてかなり高温となる。しかしランプソケット９のソケット取付部１２ｂはランプ１０の熱伝導のみで対流の作用をほとんど受けないため、上部１２ａに比べると温度は低くなる。よって、ソケット台１２の側面の上部１２ａを器具上方から覆っていれば高温部の露出により高温部に付着する塵埃の焼け等を防ぐことができる。
【００１５】
この実施の形態によれば、安定器３０が孔６よりも外方に偏心することにより生じる器具の偏荷重を、器具本体１の外方に張り出した支持部３により受けるため、地震が発生しても偏荷重が支持部３に吸収できるので天井材にかかる荷重を低減することができる。
ここで、第１の実施の形態の器具と、支持部３のない図１２に示す比較形態の器具（共通部分に同一符号を付す）の地震試験を行なった。上下方向の加振により天井５にかかる加速度に対する器具本体１の応答倍率は図１２の器具が７、第１の実施の形態の器具が５であり、減少率は比較形態を１として０．７１、すなわち第１の実施の形態の応答倍率は約２９％低減されていることがわかった。
【００１６】
また、安定器３０の偏荷重はヨーク２３の支持部３にかかるので、灯具２には直接かからない。
さらに、天井５の孔６に挿通可能な突出部３を設けたため、灯具２のランプソケット９が支持部３の内側に進入することにより灯具２の首振り角度を大きくすることができ、しかも器具本体１を小型化することができる。またランプソケット９に塵埃が付着する面を覆う天板部４を設けたため、ランプソケット９の高温部に塵埃や水滴が付着せず熱による塵埃の焼け等を防ぐことができる照射方向可変型照明器具（ユニバーサルダウンライト）を提供できる。
【００１７】
この発明の第２の実施の形態を図３および図４により説明する。これは、第１の実施の形態において、灯具２が首振りおよび水平回転をともにしない固定された構成である。すなわち、ソケット台９は器具本体１の天部のヨーク２３の内側に取付けられ、かつ安定器３０の偏荷重が直接ランプソケット９にかからないようになっている。また第１の実施の形態のカバーはなく、コーン１１に代えて略円錐台筒状の反射板３５をランプ１０の前端側の周囲に配置し、枠２１に取付部材３６により取付けている。
【００１８】
灯具２の首振りおよび水平回転の構成以外の安定器３０等の構成およびその作用効果は第１の実施の形態と同様である。
この発明の第３の実施の形態を図５および図６に示す。すなわち、支持部３は器具本体１の側方に例えばくの字形に屈曲突出した突出部であり、安定器３０は突出部の突出方向と反対方向に配設されている形態であり、その他は第１の実施の形態と同様である。
【００１９】
ただし、第１の実施の形態および第２の実施の形態の支持部３が安定器３０によって圧縮荷重を受けていたのに対して、第３の実施の形態の支持部３は引っ張り荷重を受ける。
第３の実施の形態と図１２に示す比較形態の器具の地震試験を行なった。上下方向の加振により天井にかかる加速度に対する器具本体１の応答倍率は図１２の器具が７、第１の実施の形態の器具が６であり、減少率は比較形態を１として０．８６、すなわち第３の実施の形態の応答倍率は約１４％低減されることがわかった。
【００２０】
また、第１の実施の形態と比較して、安定器３０とランプソケット９が近接しないので、お互いが温度上昇することがない。また温度上昇しないことおよび支持部３が安定器３０の配置の邪魔にならないことにより安定器取付高さを低くすることができるので器具高さを低減することができる。その他、第１の実施の形態と同様な効果がある。
【００２１】
この発明の第４の実施の形態を図７および図８に示す。これは、第３の実施の形態と同様に支持部３は器具本体１の側方に屈曲突出した突出部であり、安定器３０は突出部の突出方向と反対方向に配設されているものであって、しかも第２の実施の形態と同様に灯具２が首振りおよび水平回転しない形態である。その他は、第２の実施の形態および第３の実施の形態と同様である。
【００２２】
なお、この発明における支持部は、安定器による偏荷重の地震による加速度を吸収するものであり、実施の形態に示した外向きに突出する突出部に限らず、内向きに突出する突出部や、蛇行状に形成された蛇行状部など地震に対する偏荷重の緩衝作用をもつものであればよく、さらに安定器の偏荷重を受ける役目を兼用するものもよい。
【００２３】
【発明の効果】
請求項１記載の照明器具によれば、安定器が孔よりも外方に偏心することにより生じる器具の偏荷重を、器具本体の外方に張り出した支持部により受けるため、地震が発生しても偏荷重が支持部に吸収できるので天井材にかかる荷重を低減することができる。
【００２４】
請求項２記載の照明器具によれば、請求項１と同様な効果である。
請求項３記載の照明器具によれば、請求項１と同様な効果である。
【図面の簡単な説明】
【図１】この発明の第１の実施の形態の部分断面側面図である。
【図２】その平面図である。
【図３】第２の実施の形態の部分断面側面図である。
【図４】その平面図である。
【図５】第３の実施の形態の部分断面側面図である。
【図６】その平面図である。
【図７】第４の実施の形態の部分断面側面図である。
【図８】その平面図である。
【図９】第１の従来例の側面図である。
【図１０】第２の従来例を示し、（ａ）は平面図、（ｂ）は側面図である。
【図１１】第３の従来例を示し、（ａ）は平面図、（ｂ）は側面図である。
【図１２】比較形態を示し、（ａ）は平面図、（ｂ）は側面図である。
【符号の説明】
１    器具本体
２    灯具
３    支持部
５    天井
６    孔
９    ランプソケット
３０    安定器
【図１】
0003591285.tif 000002
【図２】
0003591285.tif 000003
【図３】
0003591285.tif 000004
【図４】
0003591285.tif 000005
【図５】
0003591285.tif 000006
【図６】
0003591285.tif 000007
【図７】
0003591285.tif 000008
【図８】
0003591285.tif 000009
【図９】
0003591285.tif 000010
【図１０】
0003591285.tif 000011
【図１１】
0003591285.tif 000012
【図１２】
0003591285.tif 000013